(57)【要約】【解決手段】  生命エネルギーを増進および／または刺激する部材を製造するべくために利用可能な銅金属合金は、重量パーセントが６０％と７０％との間の銅（Ｃｕ）と、重量パーセントが１６％と２４％との間の銀（Ａｇ）と、重量パーセントが３％と６％との間の亜鉛（Ｚｎ）と、重量パーセントが３％と６％との間のマンガン（Ｍｎ）と、重量パーセントが０．５％と６％との間であるのゲルマニウム（Ｇｅ）とを備える。重量パーセントが３％と６％との間のスズ（Ｓｎ）をさらに備えるものを提供するとしてもよい。重量パーセントが０．１％と５％との間の白金（Ｐｔ）をさらに備えるとしてよい。当該合金は、例えば、さまざまな種類の物品に関連するプレートまたは長尺状の形状を持つシートを製造するために用いられる。【選択図】  図１
2014515786.tif 000002
【特許請求の範囲】
【請求項１】
有機体、特に人間、動物、および植物において、生命エネルギーを増進および／または刺激する部材を製造するために特に利用可能な銅金属合金であって、
重量パーセントが６０％と７０％との間の銅（Ｃｕ）と、
重量パーセントが１６％と２４％との間の銀（Ａｇ）と、
重量パーセントが３％と６％との間の亜鉛（Ｚｎ）と、
重量パーセントが３％と６％との間のマンガン（Ｍｎ）と、
重量パーセントが０．５％と６％との間であるゲルマニウム（Ｇｅ）と
を備える銅金属合金。
【請求項２】
重量パーセントが３％と６％との間のスズ（Ｓｎ）をさらに備える請求項１に記載の銅金属合金。
【請求項３】
スズ（Ｓｎ）を含まない請求項１に記載の銅金属合金。
【請求項４】
重量パーセントが０．１％と５％との間の白金（Ｐｔ）をさらに備える
請求項２または３に記載の銅金属合金。
【請求項５】
生命有機体、特に人間、動物、および植物において、生命エネルギーを増進および／または刺激する部材として利用される、例えば、プレートまたは長尺状の形状を持つ金属シートであって、
請求項１から４のいずれか一項に記載の銅金属合金で構成されている金属シート。
【請求項６】
厚みは０．１ｍｍと１ｍｍとの間であり、好ましくは０．５０ｍｍである請求項５に記載の金属シート。
【請求項７】
形状が矩形であり、頂点が丸みを帯びていて、それぞれの辺の長さが８ｍｍと３０ｍｍとの間であり、好ましくは８×８ｍｍである請求項５に記載の金属シート。
【請求項８】
縫い糸を通すための１以上の孔を備える請求項７に記載の金属シート。
【請求項９】
長尺状の形状を持ち、幅は８ｍｍと３０ｍｍとの間であり、長さは２０００ｍｍまでである
請求項６に記載の金属シート。
【請求項１０】
請求項５から８のいずれか一項に記載の金属シートを１以上備える履物用の中敷き。
【請求項１１】
請求項５から８のいずれか一項に記載の金属シートを１以上備える衣料品。
【請求項１２】
請求項５から９のいずれか一項に記載の金属シートを１以上備える寝台、座席または肘掛椅子用のマットレスまたはパッド部材。
【請求項１３】
請求項５から８のいずれか一項に記載の金属シートを１以上備える整形外科用カラー。
【請求項１４】
請求項５から８のいずれか一項に記載の金属シートを１以上備えるギプス。
【請求項１５】
請求項５から８のいずれか一項に記載の金属シートを１以上備える整形外科用弾性包帯。
【発明の詳細な説明】
【技術分野】
【０００１】
本発明は、有機体、特に、人間、動物および植物において、生命エネルギーを増進および／または刺激する部材を製造するために特に利用可能な、銅金属合金に関する。
【背景技術】
【０００２】
一部の金属、特に、銅が持つ有機体の健康に有益な特性は、既に知られている。この特性を利用したさまざまな種類のデバイスは、例えば、ＪＰ−Ａ−２００５／２５３９３４号、国際公開第８４００２９８号、ＪＰ−Ａ−２００７／２０３０００号、国際公開第９５／０９５９１号に記載されている。
【発明の概要】
【発明が解決しようとする課題】
【０００３】
本発明は、このような特性が強く、さまざまな用途に適宜利用され得る新しい金属合金を提供することを目的とする。
【課題を解決するための手段】
【０００４】
この目的を実現するべく、本発明は主に、銅（Ｃｕ）の重量パーセントが６０％と７０％との間、銀（Ａｇ）の重量パーセントが１６％と２４％との間、亜鉛（Ｚｎ）の重量パーセントが３％と６％との間、マンガン（Ｍｎ）の重量パーセントが３％と６％との間、ゲルマニウム（Ｇｅ）の重量パーセントが０．５％と６％との間である合金を提供することを目的としている。
【０００５】
第１の実施形態によると、当該合金はさらに、スズ（Ｓｎ）の重量パーセントが３％と６％との間である。
【０００６】
第２の実施形態によると、本発明に係る合金は、スズを含まない。
【０００７】
第３の実施形態によると、当該合金は、スズを含まず、さらに白金（Ｐｔ）の重量パーセントが０．１％と５％との間である。
【０００８】
出願人が実施した研究および実験によると、本発明に係る合金は、人間、動物または植物の健康に有益な部材およびデバイスを製造するために利用すると、さまざまな面から、有用であることが分かった。
【０００９】
本発明はさらに、例えば、プレートまたは長尺状部材の形状を持つ金属シートを提供することを特に目的とする。当該金属シートは、エネルギーを増進および／または刺激する部材として利用され、前述した種類の銅金属合金で構成される。出願人が実施した研究および試験によると、シートはプレート状構造であって、形状が矩形であり、頂点が丸みを帯びていて、厚みは０．１０ｍｍと１ｍｍとの間であり、好ましくは０．５０ｍｍであることが特に有益であると分かった。さらに、上述したプレート形状のシートの好ましい実施形態によると、プレート形状の辺はそれぞれ、長さが８ｍｍと３０ｍｍとの間であり、好ましくは８×８ｍｍである。
【００１０】
本発明に係るシートの特に有益な用途は、履物の中敷きとして利用することであり、履物に上記のプレートを１以上載置する。
【００１１】
研究および実験によると、本発明を履物の中敷きに利用した場合の有益な効果は、プレートを利用者の足底の所定点に配置した場合に特に大きくなることが分かった。このような配置は、リフレクソロジーの分野での研究によると人の健康に特に重要である。
【００１２】
本発明に係る金属合金が構成するシートのさらに有益な用途として、１以上の当該シートを衣料品、例えば、ストッキングまたは下着に含めて、当該衣料品を着用している人物の体に隣接させることが挙げられる。
【００１３】
さらに、その他の有益な用途として、本発明に係る金属合金によって構成されたシートを１以上、ベッド、座席または肘掛椅子用のマットレスまたはパッド部材に含めることが挙げられる。この場合、シートの形状は長尺状であることが好ましく、幅は８ｍｍと３０ｍｍとの間であり、長さは２０００ｍｍまでである。
【００１４】
さらに有益な用途は、整形外科用カラー、ギプス、整形外科用弾性包帯である。
【００１５】
本発明に係る金属合金が構成する部材は、遊戯または趣味用の物品、例えば、さまざまな種類の情報を取得するため、または、予測を行うべく、振動する振り子部材を含む種類の物品にも利用可能である。
【図面の簡単な説明】
【００１６】
本発明のその他の特徴および利点は、添付図面と共に以下の説明を参照することで明らかになるであろう。添付図面および以下の説明は、本発明を限定することなく、例を挙げているに過ぎない。
【図１】本発明に係る金属合金で構成されたシートの実施形態を示す斜視図である。
【図２】図１に示す種類のプレート状のシートを複数含む履物用中敷きを示す平面図である。
【発明を実施するための形態】
【００１７】
上述したように、出願人は、研究および実験に基づき、有機体、特に、人間に利用した場合に有益な効果が得られる部材を提供するという最適な結果を可能とする、銅金属合金の新たな組成を特定した。
【００１８】
また、上述したように、本発明によると、金属合金が表１に含む成分を含む第１の実施形態を実現する。この表では、各元素の重量パーセントの範囲の最低条件および最大条件を示している。
【表１】
2014515786.tif 000003
【００１９】
本発明に係る金属合金の第２の実施形態は、表２に示す。第２の実施形態の特徴は、表１と比較すると、スズが含まれていない点である。
【表２】
2014515786.tif 000004
【００２０】
本発明に係る金属合金の第３の実施形態は、同様にスズが含まれていないこと、および、表３に示すように、白金をさらに含むことを特徴とする。
【表３】
2014515786.tif 000005
【００２１】
スズおよび白金の両方を含む合金の実施形態は、表４に示す。
【表４】
2014515786.tif 000006
【００２２】
本発明によると、上述した組成のいずれかを用いて、任意の公知の鋳造技術で、金属シートの形状を持つ部材、例えば、添付図面の図１に図示した種類のプレートの形状を持つ部材を製造する。同図では、本発明に係る金属合金で構成されるプレートは、略矩形で平坦な形状を持ち、辺ａおよびｂ、厚みｓを持ち、全体を参照番号１で示している。プレートの頂点は、丸みを帯びているのが好ましい。厚みｓは、０．１０ｍｍと１ｍｍとの間であり、好ましくは０．５０ｍｍに等しいことが有益である。辺ａおよびｂはそれぞれ、例えば、長さが８ｍｍと３０ｍｍとの間であるとしてよい。通常の寸法は、８×８ｍｍであるとしてよい。プレート１を衣料品または布本体に縫い付けることで固定する場合、プレートには、少なくとも一対の孔２（図１では点線で示す）を縫い糸を通すために設ける必要がある。
【００２３】
図２は、本発明に係る金属合金の用途例を示す図である。同図では、図１に図示した種類のプレート１を複数設けた履物用の中敷きの全体を、参照番号３で示している。プレート１は、任意の公知の方法、例えば、接着剤によって中敷き３に固定されている。プレート１を、履物を着用している人物の足の足底に隣接させて配置すると、出願人が実行した試験で明らかになったように、さまざまな有益な効果が得られる。このような効果はさらに、本発明に係る金属合金を用いて得られた図１の種類のプレートを、人物の体の他の部分に隣接させて配置することによっても得られる。例えば、１以上のプレートをギプスに入れたり、さまざまな種類の衣料品（例えば、ストッキングおよび下着）に入れたり、または、整形外科用弾性包帯に入れたりする。図１の種類のプレートを複数含む整形外科用カラーについて一連の特定の試験を実行した。
【００２４】
さらに有益な用途としては、本発明に係る金属合金で構成され、長尺状部材の形状を持つことが好ましいシートを複数、人物の体のうち背中または他の部分に隣接するように、寝台、座席または肘掛椅子用のマットレスまたはパッド部材に入れることが挙げられる。この場合、長尺状部材は、例えば、幅が８ｍｍと３０ｍｍとの間であり、長さは２０００ｍｍまでである。
【００２５】
観察により分かったさまざまな有益な効果はとしては特に、以下を含む。
歩行による疲労が低くなると同時に、神経筋の動作が顕著に増加、疲労しきい値が大幅に増加
特に、骨関節系および筋骨格系に関する痛みに対する鎮痛作用、筋筋膜症候群および夜間の筋肉の痙攣に対する鎮痛作用等
坐骨神経痛に関する痛みに対する鎮痛作用
下肢における皮膚微小循環および、恐らく、筋肉の改善、例えば、糖尿病患者の足に有効
湿疹−乾癬の種類の深刻な皮膚疾患という象徴的な一部のケースでは、上述した皮膚の病変が当該デバイスを利用することで消滅
重症のパーキンソン病の場合であっても、最適な姿勢を実現すると推測されることに加えて、安定性および運動の平衡性が上昇
【００２６】
さらに、試験によると、有益な効果は、基礎疾患および関連症状の深刻度に直接比例して、有効性が高くなることが分かった。言い換えると、本発明に係る金属合金の好ましい効果は、より多くの量が必要になる場合に、より顕著になる。
【００２７】
本発明に係る金属合金で構成されたプレートを、長時間飛行機に搭乗する人物が着用するストッキングに入れる試験もさらに実行した。当該試験によると、与圧された機内に長期間いることに起因する下肢のむくみが大幅に減った。本発明に係る金属合金で構成されたシートを、寝台、肘掛椅子等のマットレスまたはパッド部材に利用することで、利用者は大きなリラックス効果を得ることが分かった。不眠症の場合にも、有益な効果が得られた。
【００２８】
上述したように、本発明に係る金属合金で構成された部材は、遊戯または趣味に利用可能なさまざまな種類の物品に適用することも可能である。例えば、この種類の物品の具体的な用途は、予測に利用可能な振り子部材を持つデバイスである。
【００２９】
本発明の原理を損なうことなく、構造の詳細な内容および実施形態は、本発明の保護範囲から逸脱することなく、例としてのみ上述および図示した内容から大幅に変更し得ることは明らかである。
【図１】
2014515786.tif 000007
【図２】
2014515786.tif 000008
【国際調査報告】
2014515786.tif 000009
2014515786.tif 000010
2014515786.tif 000011